(57)【要約】【課題】玄関の家具下空間に収納しておき、必要に応じて上がり框側に引き出して上がり框の上部側と玄関土間との間にスロープを形成する。【解決手段】玄関土間Ｆと上がり框Ｂの上部側ＢａとにわたるスロープＳとなるスロープ構成部Ｓ’を備えているスロープ形成装置Ａであって、前記上がり框Ｂにほぼ直交する向きに備えられている玄関家具Ｅと玄関土間Ｆとが構成する家具下空間Ｇに備えられる回動軸２１により水平方向に回動可能な状態で前記家具下空間Ｇに出し入れ可能に収納される。【選択図】  図１
2006183288.tif 000002
【特許請求の範囲】
【請求項１】
玄関土間と上がり框の上部側とにわたるスロープとなるスロープ構成部を備えているスロープ形成装置であって、
前記上がり框にほぼ直交する向きに備えられている玄関家具と玄関土間とが構成する家具下空間に備えられる回動軸により水平方向に回動可能な状態で前記家具下空間に出し入れ可能に収納されていることを特徴とするスロープ形成装置。
【請求項２】
前記スロープ構成部が、前記回動軸で回動可能に備えられている装置本体部のスロープ構成部と、このスロープ構成部に折り畳み可能に備えられている一又は複数の折り畳みスロープ構成体部とを備えていることを特徴とする請求項１に記載のスロープ形成装置。
【発明の詳細な説明】
【技術分野】
【０００１】
この発明は、随時、必要に応じて取り出し用いうるスロープ形成装置を用意し、玄関における段差部分にスロープを容易に構成することのできるスロープ形成装置の提供に関する。
【背景技術】
【０００２】
通例、玄関口にあっては、建物に対する出入りに際して用いられる玄関ベンチ等の家具や、当該建物から出入りする際に必要とされる靴、サンダル、スリッパ等の各種履物類、傘等の各種雨具類等の収納に必要とされる収納家具が備えられる以外は、概ね、出入りに必要とされる必要最小限の土間部を備えるように構成されていることが一般的である。
【０００３】
この結果、車椅子による出入りなどのように玄関土間と上がり框間にある段差部分にスロープを設置して移動する必要を生じた場合、当該玄関土間に車椅子等による移動に都合の良いスロープを別段に設置するようにしていた。
【０００４】
しかしながら、通例、必要最小限の大きさに設けられている当該玄関土間にスロープを設置した場合、当該家屋に対する円滑な出入りを当該スロープによって妨げられる不具合を生じ、また、かかるスロープの設置に多くの施工コストを要するなどの不具合があった。
【０００５】
特許文献１では、玄関にあって比較的小さな容積の利用によって当該玄関における床段差を解消する装置が提案されている。
【０００６】
この特許文献１に示される床段差解消装置は、土間に形成された窪みが略玄関ホームに達する平板にて覆われて土間とほぼ面一とされ、この平板の土間側が回動自在に取り付けられ、前記窪み内に昇降装置が配置され、この昇降装置にて前記平板の玄関ホール側が玄関ホールの高さまで持ち上げられ、玄関土間と玄関ホールの間で斜面を形成するようにしている。
【０００７】
しかしながら、このような床段差解消装置にあっては、土間に装置を設置するだけの大きさの窪みを設け、この窪み内に前記平板の一端側を玄関ホールの高さまで昇降する駆動手段としてモーターを設ける必要があり、当該床段差解消装置の設置施工に多くのスペースと、多くの作業手間とが必要とされ、また、当該設備の管理維持コストが割高になる不具合があった。
【特許文献１】特開平９−２７９７９５
【発明の開示】
【発明が解決しようとする課題】
【０００８】
この発明が解決しようとする主たる課題は、玄関にあって、通例、用いられることのない玄関家具の下面と当該玄関土間との間に構成される家具下空間を効果的に用い得るようにして、スロープが必要とされない玄関の使用にあっては、スロープを構成するスロープ形成装置を家具下空間に納め入れておき、随時、必要に応じて容易に当該家具下空間からスロープ形成装置を取り出し用い得るようにすることによって、玄関の効率的な使用をなし得るようにしたスロープ形成装置の提供に関する。
【課題を解決するための手段】
【０００９】
この発明は前記課題を解決するために、玄関土間と上がり框の上部側とにわたるスロープとなるスロープ構成部を備えているスロープ形成装置であって、
前記上がり框にほぼ直交する向きに備えられている玄関家具と玄関土間とが構成する家具下空間に備えられる回動軸により水平方向に回動可能な状態で前記家具下空間に出し入れ可能に収納されていることを特徴とするスロープ形成装置としてある。
【００１０】
このように構成されるスロープ形成装置にあっては、玄関に備えられている靴やスリッパ等の各種履物、傘等の雨具類、土間掃き用箒、自転車の空気入れ等玄関において用いられる各種の物品を納め入れる収納家具やベンチチェスト等の玄関に設置されて用いられる各種家具の下面と玄関土間との間に構成される家具下空間を有効に用いることができ、この通例用いられていない家具下空間内にスロープ形成装置を納め入れておくと共に、随時、必要に応じて、当該家具下空間からスロープ形成装置を引き出して、玄関土間と上がり框の上部側とにわたるように、車椅子等の通路として用い得るスロープを容易に構成することができる。
【００１１】
また、このように構成されるスロープ形成装置にあっては、当該スロープの使用を必要としていない際には、このスロープ形成装置を上がり框部分から容易に家具下空間に移動して、上がり框部分における円滑な出入り動作をなすことができる。
【００１２】
ついで、前記構成からなるスロープ形成装置において、前記スロープ構成部が、前記回動軸で回動可能に備えられている装置本体部のスロープ構成部と、このスロープ構成部に折り畳み可能に備えられている一又は複数の折り畳みスロープ構成体部とを備えていることを特徴とするスロープ形成装置にあっては、家具下空間の奥行き幅よりも、長いスロープ面を当該上がり框と玄関土間との間に構成することができる。
【発明の効果】
【００１３】
この発明にかかるスロープ形成装置にあっては、玄関に備えられている玄関家具の下面と玄関土間間に構成される家具下空間内に、玄関土間と上がり框の上部側との間にわたるスロープを構成するスロープ構成部を備えたスロープ形成装置を収納しておくことができ、必要に応じて、当該スロープ形成装置を引き出し、上がり框に沿うように設置して、当該上がり框の上部側と玄関土間とに亘るようにスロープを構成して用いることができる。
【００１４】
また、かかるスロープ形成装置を使用する必要の無い場合にあっては、この上がり框に沿って設置されているスロープ形成装置を前記家具下空間に向けて回動、収納し、上がり框部分における出入りに差し障りの無い状態に復帰させることができる。
【発明を実施するための最良の形態】
【００１５】
以下、図１〜図１５にもとづいて当該発明を実施するための最良の形態に係るスロープ形成装置Ａについて説明する。
【００１６】
図１〜図８は、当該発明を実施するための最良の形態に係る典型的な第１のスロープ形成装置Ａを示しており、図１では、当該スロープ形成装置Ａを上がり框Ｂに接するように玄関土間Ｆに設置した状態を斜め上方から見て、図２では、これを側方から要部を断面して、図３では、これを上方から見た状態を示している。図４では、このスロープ形成装置Ａのスロープ構成部Ｓ’をなす装置本体部１０Ａのスロープ構成部１０Ａ’と折り畳みスロープ構成体部１０Ｂとを重ね合わせの状態にして側方から要部を断面して、図５では、これを上方から見て、図６では、これを家具下空間Ｇに納め入れた状態を上方から見て、図７では、これを側方から見た要部を断面して示している。
図８では、当該スロープ形成装置Ａを他の玄関家具Ｅの家具下空間Ｇに回動格納し得るようにした他の適用例を示している。
【００１７】
ついで図９〜図１５は、当該発明を実施するための最良の形態に係る典型的な第２のスロープ形成装置Ａを示しており、図９では、当該スロープ形成装置Ａを上がり框Ｂに接するように玄関土間Ｆに設置した状態を斜め上方から見て、図１０では、これを側方から見て要部を断面して、図１１では、これを上方から見て示している。図１２では、このスロープ形成装置Ａのスロープ構成部Ｓ’をなす装置本体部１０Ａのスロープ構成部１０Ａ’と、当該装置本体部１０Ａのスロープ構成部１０Ａ’に折り畳み可能に備えられている上部側折り畳みスロープ構成体部１０Ｂ’ａと下部側折り畳みスロープ構成体部１０Ｂ”ｂとを当該折り重ねた状態で側方から見て要部を断面して、図１３では、これを上方から見て、図１４では、これを家具下空間Ｇに納め入れた状態を上方から見て、図１５では、これを側方から見て要部を断面して示している。
【００１８】
かかる当該発明を実施するための最良の形態に係るスロープ形成装置Ａにつて説明する。
【００１９】
ここで示されるスロープ形成装置Ａは、玄関土間Ｆと上がり框Ｂの上部側ＢａとにわたるスロープＳとなるスロープ構成部Ｓ’を備えているスロープ形成装置Ａであって、前記上がり框Ｂにほぼ直交する向きに備えられている玄関家具Ｅと玄関土間Ｆとが構成する家具下空間Ｇに備えられる回動軸２１により水平方向に回動可能な状態で前記家具下空間Ｇに出し入れ可能に収納されているスロープ形成装置Ａとしてある。
【００２０】
なお、前記玄関家具Ｅは、靴やスリッパ等の各種履物、傘等の雨具類、土間掃き用箒、自転車の空気入れ等玄関において用いられる各種の物品を納め入れる収納家具や、ベンチチェスト等の玄関において用いられる家具等、いかなる玄関家具であってもよく、上がり框Ｂにほぼ直交する向きに備えられている当該玄関家具Ｅと、当該玄関家具Ｅの下面と玄関土間Ｆの土間面Ｆａとの間に構成される家具下空間Ｇを用いるようにしてある。
【００２１】
かかる玄関における上がり框Ｂの上部側Ｂａと玄関土間Ｆとに亘るようにスロープＳを構成するスロープ構成部Ｓ’を備えたスロープ形成装置Ａは、当該上がり框Ｂの上部側Ｂａと玄関土間Ｆとに亘るようにスロープＳを構成し得ると共に、前記玄関家具Ｅの下面と玄関土間Ｆとの間に構成される家具下空間Ｇに納め入れ得るものであれば、いかなる形態のものであってもよく、また、当該スロープ形成装置Ａを用いて車椅子や人の通行し得るものであれば、いかなる素材によって構成してあってもよい。
【００２２】
例えば、前記スロープＳを構成するスロープ形成装置Ａのスロープ構成部Ｓ’は、一個のスロープ構成部Ｓ’によって上がり框Ｂと土間面Ｆａとに亘るようにスロープＳを構成するようにしてあっても、また、二個以上のスロープ構成部Ｓ’によって当該上がり框Ｂと土間面Ｆａとに亘るようにスロープＳを構成するようにしてあってもよく、例えば、一端部側Ａａを回動軸２１で回動可能に備えられたスロープ形成装置Ａの装置本体部１０Ａのスロープ構成部１０Ａ’に折り畳み可能に組み付けられている折り畳みスロープ構成体部１０Ｂを当該スロープ構成部１０Ａ’から展開して、この展開された折り畳みスロープ構成体部１０Ｂと当該スロープ構成部１０Ａ’とによって、前記上がり框Ｂと土間面Ｆａとに亘るようにスロープＳを構成してあってもよい。
【００２３】
また、例えば、当該スロープ形成装置Ａを、スロープＳを構成するスロープ構成部Ｓ’を備えている１個又は複数個のボックス体によって構成したり、スロープＳを構成するスロープ構成部Ｓ’を備えている１個又は複数個のフレーム体によって構成したり、スロープＳを構成するスロープ構成部Ｓ’を備えている１個又は複数個のプレート体によって構成するなど、いかなる形態に構成してあってもよい。
【００２４】
また、当該スロープ形成装置Ａが土間面Ｆａを摺動しながら回動するようにしてあっても、当該スロープ形成装置Ａを玄関土間Ｆから浮き上がらせた状態で回動するようにしてあっても、当該スロープ形成装置Ａの一端部側をやや持ち上げるようにして回動するようにしてあってもよい。
【００２５】
また、かかるスロープ形成装置Ａは、モータ等適宜の駆動手段を用いて駆動するようにしてあっても、これを人が手で掴んで移動するようにしてあってもよい。
【００２６】
また、前記家具下空間Ｇから回動、引き出して上がり框Ｂに平行になすと共に、上がり框Ｂと玄関土間Ｆの土間面Ｆａとに亘るようにスロープＳを構成するスロープ構成部Ｓ’の一方の側部Ｓ’ａを上がり框Ｂに、他方の側部Ｓ’ｂを土間面Ｆａに接するように位置づけた際に、このスロープ形成装置Ａを上がり框Ｂや玄関土間Ｆや当該玄関を構成する各種部材等に対して留めつけて停止状態としたり、当該スロープ形成装置Ａを、その自重によって停止状態にしたり、当該スロープ形成装置Ａの下面に設けた滑り止めによって当該スロープ形成装置Ａを停止状態にするなど、適宜の方法によって当該スロープ形成装置Ａを設置位置に停止状態にして用いる。
【００２７】
このように構成されるスロープ形成装置Ａにあっては、各種の玄関家具Ｅの下面と玄関土間Ｆの土間面Ｆａとの間に構成される家具下空間Ｇに前記スロープ形成装置Ａを納め入れておくと共に、随時、必要に応じて、当該家具下空間Ｇからスロープ形成装置Ａを引き出して、玄関土間Ｆと上がり框Ｂの上部側Ｂａとに亘るようにスロープＳを構成し、車椅子等の通路として効果的に用いることができる。
【００２８】
また、このように構成されるスロープ形成装置Ａにあっては、当該スロープＳの使用を必要としていない際には、このスロープ形成装置Ａを上がり框Ｂに平行に設置されている位置から家具下空間Ｇに移動して、上がり框Ｂ部分における出入りの妨げとならないようにすることができる。
【００２９】
また、前記スロープ形成装置Ａのスロープ構成部Ｓ’が、前記回動軸２１で回動可能に備えられている装置本体部１０Ａのスロープ構成部１０Ａ’と、このスロープ構成部１０Ａ’に折り畳み可能に備えられている一又は複数の折り畳みスロープ構成体部１０Ｂとを備えてたスロープ形成装置Ａにあっては、家具下空間Ｇの奥行きの幅寸法よりも、長いスロープ面を当該上がり框Ｂと玄関土間Ｆ間に構成することができる。
【００３０】
ついで、図１〜図８に示される典型的なスロープ形成装置Ａについて具体的に説明する。
【００３１】
この図示例に係るスロープ形成装置Ａは、玄関土間Ｆと上がり框Ｂの上部側ＢａとにわたるスロープＳとなるスロープ構成部Ｓ’を備えているスロープ形成装置Ａであって、このスロープ形成装置Ａが前記上がり框Ｂにほぼ直交する向きに備えられている玄関家具Ｅと玄関土間Ｆとが構成する家具下空間Ｇに備えられる回動軸２１により水平方向に回動可能な状態で前記家具下空間Ｇに出し入れ可能に収納してある。
【００３２】
なお、このスロープ形成装置Ａを回動可能に組み付ける回動軸２１は、前記上がり框Ｂに一端側を載せて当該上がり框Ｂに直交するように玄関土間Ｆ側に延びるように玄関壁Ｃに沿って備えられている玄関家具Ｅの家具下空間Ｇにおける当該上がり框Ｂに近い側に設けてある。そして、この回動軸２１によって一端部側Ａａを回動可能に支持されたスロープ形成装置Ａが、この回動軸２１を支点とした回動によって、前記上がり框Ｂに平行をなすように設置された際に、このスロープ形成装置Ａの幅側における前記上がり框Ｂと反対側の位置において当該回動軸２１によって支持するようにしてある。
【００３３】
この図示例にあっては、家屋における玄関の玄関土間Ｆと、当該玄関土間Ｆから所定立ち上がり幅を備えて玄関フロアーＤの先端部に備えられている上がり框Ｂとの間にスロープＳを構成するスロープ形成装置Ａを、当該上がり框Ｂに直交するように壁Ｃに沿った玄関土間Ｆに備えられている玄関家具ＥとしてのベンチチェストＥ’の下面と玄関土間Ｆの土間面Ｆａ及び前記壁Ｃとが構成する家具下空間Ｇを利用して当該玄関に回動可能に設けたものであって、この図示例では、このスロープ形成装置Ａの一端部側Ａａを、この家具下空間Ｇに備えられる回動軸２１で水平向きに回動可能にしてあり、この家具下空間Ｇから回動引き出されて、スロープ構成部Ｓ’の一方の側部Ｓ’ａを上がり框Ｂに接するように設置してある。
【００３４】
なお、ここでスロープ形成装置Ａの収納される家具下空間Ｇを構成するベンチチェストＥ’は、通例、その上面Ｅ’ａを座面として用い得ると共に、任意複数個の抽斗Ｅ’ｃを備えており、その下面Ｅ’ｂと向き合っている玄関土間Ｆの土間面Ｆａとの間に前記スロープ形成装置Ａを収納可能にする家具下空間Ｇを構成するようにしてある。
【００３５】
そして、この図示例にあっては、このスロープ形成装置Ａを、前記家具下空間Ｇから引き出して上がり框Ｂに当該スロープ形成装置Ａを平行に設置した状態で、当該スロープ形成装置Ａのスロープ構成部Ｓ’によって上がり框Ｂの上部側Ｂａと玄関土間Ｆとに亘ってスロープＳを構成し得るようにしてあり、このスロープ構成部Ｓ’における一方の側部Ｓ’ａが上がり框の上部側Ｂａに接し、かつ、他方の側部Ｓ’ｂが玄関土間Ｆの土間面Ｆａに接するようにしてある。
【００３６】
かかる上がり框Ｂに沿って備えられて、一方の側部Ｓ’ａを上がり框Ｂの上部側Ｂａに接し、かつ、他方の側部Ｓ’ｂを玄関土間Ｆの土間面Ｆａに接するようにされたスロープ形成装置Ａのスロープ構成部Ｓ’は、この上がり框Ｂの上部側Ｂａと土間面Ｆａとに亘って構成されるスロープＳに対する上がり下り方向での縦断面形状が直角三角形状に構成してあり、この直角三角形状をなすスロープ構成部Ｓ’における斜辺をなす面をスロープＳのスロープ面としてあると共に、その一端部側Ａａに直方体状をなす組み付け体部１０Ａ”を備えた構成としてある。
【００３７】
かかるスロープ形成装置ＡにあってスロープＳを構成するスロープ構成部は、車椅子の両輪が無理なく通過し得る幅を備えた比較的長尺の構成としてあり、この長尺をなすスロープ形成装置Ａの一端部側Ａａに備えられている組み付け部を前記回動軸２１によって家具下空間Ｇに回動可能に支持してある。
【００３８】
また、この図示例に係るスロープ形成装置Ａにあっては、前記回動支持されている側と反対の側にある当該スロープ形成装置Ａの他端部側に、このスロープ形成装置Ａを持ち上げ移動するための手掛け孔１１ｆと、当該スロープ形成装置Ａを上がり框Ｂに接した状態に維持するためのストッパー手段１１ｅが設けてある。
【００３９】
そして、このスロープ形成装置Ａにおけるスロープ構成部Ｓ’の一方の側部Ｓ’ａが、上がり框Ｂに都合良く接し、しかも、当該スロープ構成部Ｓ’の他方の側部Ｓ’ｂが玄関土間Ｆに都合良く接するように構成してある。
【００４０】
このように構成されるスロープ形成装置Ａは、このスロープ形成装置Ａのスロープ構成部Ｓ’の一方側部Ｓ’ａを上がり框Ｂの前端面に接しさせた際に、構成されるスロープＳの上端が当該上がり框Ｂの上端面Ｂｃにほぼ面一の状態で連続するようにしてあり、他方の側部Ｓ’ｂが玄関土間Ｆに連続するようにしてある。
【００４１】
この図示例にあっては、かかるスロープ形成装置Ａを、装置本体部１０Ａと、この装置本体部１０Ａのスロープ構成部１０Ａ’に蝶番等のヒンジ具３０によって折り畳み可能に組み付けた折り畳みスロープ構成体部１０Ｂ’とで構成してある。
【００４２】
かかるスロープ形成装置Ａは、このスロープ形成装置ＡにおけるスロープＳを車椅子等の進行方向の中程で当該車椅子の進行方向に直交する向きの線分によって二分し、上がり框Ｂ側にある装置本体部１０Ａのスロープ構成部１０Ａ’と、玄関土間Ｆ側にある折り畳みスロープ構成体部１０Ｂ’とをヒンジ具３０によって、折り畳み可能に組み付けて構成してある。
【００４３】
このスロープ形成装置Ａを前記折り畳みスロープ構成体部１０Ｂ’と共に構成する装置本体部１０Ａは、スロープ構成部１０Ａ’と、当該スロープ形成装置Ａにおける前記一端部側Ａａに備えられる組み付け部１０Ａ”とを備えた構成としてあり、それぞれ上がり框Ｂに接する側に垂直板部１１ａ、１１ｇを備えていると共に、これと反対の側に前板部１１ｂ、１１ｈを有し、前記垂直板部１１ａと前板部１１ｂとの上端間に傾斜板部１１ｃを、また、前記垂直板部１１ｇと前板板部１１ｈとの上端間に水平板部１１ｉを備えており、前記組み付け部１０Ａ”の側面を側板部１１ｊで塞いであると共に、これと反対側にある、スロープ構成部１０Ａ’の端部側を側板部１１ｄによって塞いであり、更に、当該スロープ構成部１０Ａ’の他方の側、すなわち、組み付け部１０Ａ”側にある当該スロープ構成部１０Ａ’の端部を側板部１１ｄ’によって塞いである。
【００４４】
この装置本体部１０Ａのスロープ構成部１０Ａ’にヒンジ具３０によって折り畳み可能に備えられている折り畳みスロープ構成体部１０Ｂ’は、前記装置本体部１０Ａのスロープ構成部１０Ａ’の前板部１１ｂに向き合う同型同寸の垂直板部１２ａと、前記側板部１１ｄ及び１１ｄ’に連続するように当該折り畳みスロープ構成体部１０Ｂ’の各端部側を塞いでいる側板部１２ｃ、１２ｃと、この各側板部１２ｃと前記垂直板部１２ａの各上端間を塞ぐように備えられて前記傾斜板部１１ｃに一連に連続してスロープＳを構成する傾斜板部１２ｂを備えた構成としてある。
【００４５】
この図示例にあっては、前記傾斜板部１１ｃと当該傾斜板部１２ｂとが、同一の傾斜角で備えられており、玄関土間Ｆから上がり框Ｂの上部側Ｂａ、この図示例にあっては、前縁Ｂｂに向けて同一の傾斜角のスロープＳのスロープ面を構成してある。
【００４６】
かかる構成からなるスロープ形成装置Ａにおける一端部側Ａａ、即ち、前記装置本体部１０Ａの前記組み付け部１０Ａ”を構成する水平板部１１ｉの下面に回動軸２１を組み付けるための二股状をなす取付部を有する取付軸２３を設けてあり、玄関土間Ｆに備え付けられている筒状軸受け体２２に回転可能に嵌め入れられている回動軸２１の上部を前記取付部間に組み入れ軸支し、当該回動軸２１に対して前記取付軸２３を傾動可能に組み付けてある。
【００４７】
かかるスロープ形成装置Ａを回動するための回動軸２１は、当該スロープ形成装置Ａを上がり框Ｂに平行にした際に、前記水平板部１１ｉにおける当該上がり框Ｂと反対の側に位置するように設けてあり、この回動軸２１によって、家具下空間Ｇに納め入れられていた当該スロープ形成装置Ａを上がり框Ｂの前端面に垂直板部１１ａを接するように回動設置し得るようにしてある。
【００４８】
なお、この図示例にあっては、前記スロープ形成装置Ａを上がり框Ｂに平行をなすように家具下空間Ｇから引き出した際に、この家具下空間Ｇに前記組み付け部１０Ａ”が位置づけられ、この家具下空間Ｇから突き出された当該スロープ形成装置Ａ部分が、前記スロープ構成部１０Ａ’及び当該スロープ構成部１０Ａ’に組み付けられている折り畳みスロープ構成体部１０Ｂ’としてあり、前記家具下空間Ｇから引き出されて上がり框Ｂに平行とされた状態で、前記装置本体部１０Ａのスロープ構成部１０Ａ’に対して折り畳みスロープ構成体部１０Ｂ’を重ね合わせの状態に折り畳み、あるいは、重ね合わせの状態にある当該装置本体部１０Ａのスロープ構成部１０Ａ’から折り畳みスロープ構成体部１０Ｂ’を玄関入り口側に開き出すようにすることができる。
【００４９】
このように上がり框Ｂに平行をなすように回動引き出されたスロープ形成装置Ａは、当該引き出し位置、この図示例にあっては、前記装置本体部１０Ａのスロープ構成部１０Ａ’における垂直板部１１ａを上がり框Ｂの前端面に接しさせた状態で、この装置本体部１０Ａのスロープ構成部１０Ａ’の側板部１１ｄに備えられているストッパー手段１１ｅ、この図示例にあっては、落としピン１１ｅ’を玄関土間Ｆに備えられている受け金物の孔Ｆｂに差し入れることによって当該位置に停止状態に維持して用いるようにしてある。
【００５０】
このように上がり框Ｂの前方に位置した玄関土間Ｆ部分に前記回動軸２１を回動中心として回動引き出されて、停止状態に維持設置されたスロープ形成装置Ａにおける折り畳みスロープ構成体部１０Ｂ’を前記ヒンジ具３０によって前方に回動するように展開し、当該折り畳みスロープ構成体部１０Ｂ’と前記装置本体部１０Ａのスロープ構成部１０Ａ’とによって、玄関土間Ｆから前記上がり框Ｂにおける上端面Ｂｃに到る一連に連続したスロープＳを構成することができ、このスロープＳを用いて車椅子等による出入りをなすことができる。（図１〜図３参照）
【００５１】
このようにスロープＳとして用いられていたスロープ形成装置Ａが不要、あるいは、上がり框Ｂの前方位置から移動させる必要を生じた際に、当該スロープ形成装置Ａにおける装置本体部１０Ａのスロープ構成部１０Ａ’上に前記ヒンジ具３０を用いて折り畳みスロープ構成体部１０Ｂ’を折り畳みの状態に重ね合わせ（図４及び図５参照）、ついで、前記スロープ構成部１０Ａ’の側板部１１ｃに備えられている手掛け孔１１ｆを用いて、当該スロープ形成装置Ａの一端部側をやや持ち上げ加減にしながら家具下空間Ｇに向けて、前記回動軸２１を回動中心として回動し、この家具下空間Ｇ内に納め入れ、前記持ち上げ加減で移動していたスロープ形成装置Ａを玄関土間Ｆに降ろすことによって、当該スロープ形成装置Ａを家具下空間Ｇの玄関土間Ｆに停止状態に収納することができる。（図６及び図７参照）
【００５２】
図８は、前記構成に係るスロープ形成装置Ａを、靴、サンダル、スリッパ等の履物、傘その他の雨具類、土間掃き箒、塵取り等を収納する扉Ｅ”ａを備えた収納家具Ｅ”からなる玄関家具Ｅの下面と玄関土間Ｆとの間に構成される家具下空間Ｇに、前記図１〜図７におけると同様に回動軸２１を用いて出し入れ可能に収納してあり、必要に応じて、前記と同様にして当該家具下空間Ｇから回動引き出すと共にスロープＳを構成して用いるようにしてある。
【００５３】
ついで、図９〜図１５に示されるスロープ形成装置Ａについて説明する。
この図示例に係るスロープ形成装置Ａは、玄関土間Ｆと上がり框Ｂの上部側ＢａとにわたるスロープＳとなるスロープ構成部Ｓ’を備えているスロープ形成装置Ａであって、このスロープ形成装置Ａが前記上がり框Ｂにほぼ直交する向きに備えられている玄関家具Ｅと玄関土間Ｆとが構成する家具下空間Ｇに備えられる回動軸２１により水平方向に回動可能な状態で前記家具下空間Ｇに出し入れ可能に収納してある。
【００５４】
この図示例においてスロープ形成装置Ａの収納される家具下空間Ｇを構成する玄関家具ＥとしてベンチチェストＥ’が示されている。このベンチチェストＥ’の設置位置関係並びに当該ベンチチェストＥ’の下面Ｅ’ｂと玄関土間Ｆの土間面Ｆａとの間に構成される家具下空間Ｇとは前記図１〜図７において示されたベンチチェストＥ’による構成と同一であり、当該家具下空間Ｇを同様にして用い得るものであって、同一の構成部分には同一の番号を付して説明を省略する。
【００５５】
かかる玄関土間Ｆ部上に設置されている玄関家具Ｅの家具下空間Ｇに、前記図１〜図８における同様にしてスロープ形成装置Ａを出し入れ可能に備え付ける。
【００５６】
この家具下空間Ｇに備えられるスロープ形成装置Ａは、その一端部側Ａａを上がり框Ｂに近い家具下空間Ｇにある回動軸２１によって支持され、この回動軸２１を支点とした回動に伴って、スロープ構成部Ｓ’の一方の側部Ｓ’ａを上がり框Ｂに接し得るように構成してあり、他方の側部Ｓ’ｂを玄関土間Ｆの土間面Ｆａに都合良く接し得るようにしてあり、このスロープ構成部Ｓ’によって車椅子等に用いられるスロープＳを玄関土間Ｆと上がり框Ｂの上部側Ｂａとに亘るように設けるようにしてある。
【００５７】
この図示例に係るスロープ形成装置Ａは、前記家具下空間Ｇにおける上がり框Ｂに近い側の玄関土間Ｆに固定されている筒状軸受け体２２に回動可能に嵌め入れられる回動軸２１を一端部側Ａａの下面に一体的に備えており、且つ、玄関土間Ｆと上がり框Ｂの上部側ＢａとにわたるようにスロープＳを構成するスロープ構成部Ｓ’を備えている構成としてある。
【００５８】
そして、この図示例に係るスロープ形成装置Ａは、傾斜スロープ板部１３ａをスロープ構成部Ｓ’として備えている装置本体部１０Ａと、この装置本体部１０Ａと共にスロープ構成部Ｓ’をなす上部側折り畳みスロープ構成体部１０Ｂ”ａと、下部側折り畳みスロープ構成体部１０Ｂ”ｂとを備えた構成としてあり、この各スロープ構成部Ｓ’としての傾斜スロープ板部１３ａと、上部側折り畳みスロープ構成体部１０Ｂ”ａと、下部側折り畳みスロープ構成体部１０Ｂ”ｂのそれぞれの上面を一連に連続したスロープＳのスロープ面としてある。
【００５９】
そして、この装置本体部１０Ａは、回動軸２１を止着した一端部側Ａａを組み付け部１０Ａ”としており、家具下空間Ｇから突き出されている装置本体部１０Ａの当該突き出し部分をスロープ構成部１０Ａ’としてあって、このスロープ構成部１０Ａ’を傾斜スロープ板部１３ａによって構成してある。
【００６０】
この図示例に係るスロープ形成装置Ａは、幅方向で傾斜されている長方形状の板状をなす装置本体部１０Ａが組み付け部１０Ａ”の側で前記回動軸２１により回動可能に備えられていると共に、この装置本体部１０Ａの幅側で傾斜した長方形状をなす板状のスロープ構成部１０Ａ’を当該家具下空間Ｇから回動引き出し、上がり框Ｂに沿うように設置した際に、当該装置本体部１０Ａにおける家具下空間Ｇから突き出されているスロープ構成部１０Ａ’の上縁部に蝶番等のヒンジ具３０を用いて上部側折り畳みスロープ構成体部１０Ｂ”ａが組み付けられており、同様に当該家具下空間Ｇから突き出されているスロープ構成部１０Ａ’の下縁部に蝶番等のヒンジ具３０を用いて下部側折り畳みスロープ構成体部１０Ｂ”ｂが組み付けられており、この上部側折り畳みスロープ構成体部１０Ｂ”ａと下部側折り畳みスロープ構成体部１０Ｂ”ｂとが、それぞれ前記スロープ構成部１０Ａ’上に折り畳み可能に設けてある。
【００６１】
そして、この装置本体部１０Ａのスロープ構成部１０Ａ’から下方に向けて開き出される下部側折り畳みスロープ構成体部１０Ｂ”ｂの下端１４ｂ’が玄関土間Ｆの土間面Ｆａに接し、且つ、上方に向けて当該装置本体部１０Ａのスロープ構成部１０Ａ’から開き出される上部側折り畳みスロープ構成体部１０Ｂ”ａの上端縁部１４ａ’が、上がり框Ｂの前縁Ｂｂに沿って備えられている段差縁部Ｂｄに載せかけられて、車椅子等による移動に都合の良い一連に連続した傾斜状をなすスロープＳを前記スロープ構成部１０Ａ’と上部側折り畳みスロープ構成体部１０Ｂ”ａと下部側折り畳みスロープ構成体部１０Ｂ”ｂとにより構成するようにしてある。
【００６２】
しかも、この上部側折り畳みスロープ構成体部１０Ｂ”ａを構成する上部側プレート部１４ａの上端縁部１４ａ’に備えられている引っ掛け片１４ａ”が、前記段差縁部Ｂｄに設けられている孔Ｂｅに係脱可能に掛合するようにしてある。
【００６３】
また、この装置本体部１０Ａの傾斜スロープ板部１３ａからなるスロープ構成部１０Ａ’に対して、それぞれ当該スロープ構成部１０Ａ’の上面側に重ね合わせ得るように上部側折り畳みスロープ構成体部１０Ｂ”ａを構成する上部側プレート部１４ａと、下部側折り畳みスロープ構成体部１０Ｂ”ｂを構成する下部側プレート部１４ｂとを蝶番等のヒンジ具３０によって折り畳み可能に組み付けてあると共に、この上部側プレート部１４ａ及び下部プレート部１４ｂのそれぞれの下方に向けて当該スロープ構成部１０Ａ’をなす傾斜スロープ板部１３ａの下面の上部側と下部側とから支持プレート１３ｃ、１３ｄが突設してある。
【００６４】
かかる装置本体部１０Ａは、家具下空間Ｇに位置づけられる組み付け部１０Ａ”を構成する傾斜取付板部１３ｂに前記回動軸２１が止着してあり、しかも、当該回動軸２１を支点とした回動に伴って上がり框Ｂに平行とされた際に家具下空間Ｇから突き出されている傾斜スロープ板部１３ａを備えており、この長方形状の板状をなす傾斜スロープ板部１３ａの上縁部に沿って蝶番等のヒンジ具３０を用いて上部側プレート１４ａを当該傾斜スロープ板部１３ａの上面側に折り畳み得るように組み付けてあり、また、下縁部に沿って長方形状をなす板状の下部側プレート１４ｂを蝶番等のヒンジ具３０を用いて当該傾斜スロープ板部１３ａの上面側に折り畳み得るように組み付けてある。
【００６５】
なお、前記装置本体部１０Ａの傾斜スロープ板部１３ａと上部側プレート１４ａと下部側プレート１４ｂとは、いずれも横長の比較的長尺の長方形状としてあり、これらの傾斜プレート板部１３ａと上部側プレート１４ａと下部側プレート１４ｂとによって構成されるスロープ構成部Ｓ’が車椅子による移動に都合の良い幅を備えるようにしてある。
【００６６】
そして、この装置本体部１０Ａの傾斜スロープ板部１３ａに組み付けられる上部側プレート１４ａと、下部側プレート１４ｂは、装置本体部１０Ａの傾斜スロープ板部１３ａから上部側プレート１４ａと下部側プレート１４ｂをそれぞれ開きだした際に、この装置本体部１０Ａの傾斜スロープ板部１３ａの後端面に上部側プレート１４ａの前端面が接し、且つ、この装置本体部１０Ａの傾斜スロープ板部１３ａの前端面に下部側プレート１４ｂの後端面が接するようにしてあり、この互いに接し合う各端面によって、下部側プレート１４ｂと装置本体部１０Ａの傾斜スロープ板部１３ａと上部側プレート１４ａとが所定の角度をもって一連に連続したプレート状とされており、この各プレート体の上面をスロープ面としたスロープＳによって車椅子が無理なく移動し得るようにしてある。また、かかる傾斜スロープ板部１３ａからの上部側プレート１４ａと、下部側プレート１４ｂとの開き出しに際して、この傾斜スロープ板部１３ａに備えられている支持プレート１３ｃ、１３ｄが、この傾斜スロープ板部１３ａから開き出される上部側プレート１４ａと、下部側プレート１４ｂとの下面側を支承して、この上部側プレート１４ａと下部側プレート１４ｂが当該傾斜スロープ板部１３ａと同一の傾斜面をなすようにしてある。
【００６７】
また、下部側プレート１４ｂは前記状態での開きだしによって、スロープ構成部Ｓ’における側部Ｓ’ｂをなす下端１４ｂ’を玄関土間Ｆの土間面Ｆａに接するようにしてあり、上部側プレート１４ａは前記状態での開き出しによって、スロープ構成部Ｓ’における側部Ｓ’ａをなす上端部１４ａ’を前記上がり框Ｂの段差部Ｂｄに載せかけ得るように構成してある。
【００６８】
このように、上がり框Ｂの前方において下部側プレート１４ｂと上部側プレート１４ａとを傾斜スロープ板部１３ａからそれぞれ開き出すようになすと共に、この上部側プレート１４ａの上端縁部１４ａ’に下向きに突設されている引っ掛け片１４ａ”を当該上がり框Ｂの孔Ｂｅに差し入れ状態にする。
【００６９】
かかる状態において、一連に連続するように備えられるスロープ構成部Ｓ’をなす下部側プレート１４ｂ、装置本体部１０Ａの傾斜スロープ板部１３ａ、上部側プレート１４ａにより構成されるスロープＳを用いて玄関土間Ｆと、上がり框Ｂの上端面Ｂｃ、さらには、玄関フロアーＤの床板Ｄａ面との間を車椅子等によって容易に移動することができる。（図９〜図１１参照）
【００７０】
このように上がり框Ｂ部分におけるスロープＳを用いた車椅子等による移動の必要の無い場合にあっては、前記上部側プレート１４ａを装置本体部１０Ａの傾斜スロープ板部１３ａの上面側に重ね合わせるように折り畳み、更に、下部側プレート１４ｂを、この上部側プレート１４ａ上に重ね合わせるように折り畳み（図１２及び図１３参照）、この状態でスロープ形成装置Ａを前記回動軸２１を支点にして前記玄関家具Ｅの家具下空間Ｇに納め入れるように回動して、当該家具下空間Ｇ内に収納する。（図１４及び図１５参照）
【００７１】
このようにスロープ形成装置Ａをベンチチェスト等の玄関家具Ｅの家具下空間Ｇに納め入れることによって、当該スロープ形成装置Ａを上がり框Ｂ部分における出入りの妨げとならないように保管することができる。
【図面の簡単な説明】
【００７２】
【図１】典型的なスロープ形成装置を用いている状態を示す要部の斜視図
【図２】同要部の断面図
【図３】同要部の平面図
【図４】同折り畳みスロープ構成体部を重ね合わせた状態の要部断面図
【図５】同要部の平面図
【図６】同家具下空間に収納した状態を示す要部の平面図
【図７】同要部の断面図
【図８】同他の適用例を示す要部の斜視図
【図９】他の典型的なスロープ形成装置を用いている状態を示す要部の斜視図
【図１０】同要部の断面図
【図１１】同要部の平面図
【図１２】同折り畳みスロープ構成体部を重ね合わせた状態の要部断面図
【図１３】同要部の平面図
【図１４】同家具下空間に収納した状態を示す要部の平面図
【図１５】同要部の断面図要部縦断面図
【符号の説明】
【００７３】
Ａ  スロープ形成装置
Ｓ  スロープ
Ｓ’  スロープ構成部
１０Ａ  装置本体部
１０Ａ’  スロープ構成部
１０Ｂ  折り畳みスロープ構成体部
【図１】
2006183288.tif 000003
【図２】
2006183288.tif 000004
【図３】
2006183288.tif 000005
【図４】
2006183288.tif 000006
【図５】
2006183288.tif 000007
【図６】
2006183288.tif 000008
【図７】
2006183288.tif 000009
【図８】
2006183288.tif 000010
【図９】
2006183288.tif 000011
【図１０】
2006183288.tif 000012
【図１１】
2006183288.tif 000013
【図１２】
2006183288.tif 000014
【図１３】
2006183288.tif 000015
【図１４】
2006183288.tif 000016
【図１５】
2006183288.tif 000017